(57)【要約】【課題】光学特性が異なるフォーカシングスクリーンを装着可能なカメラにおいて、ハードウエア追加無しで、フォーカシングスクリーンの種類（ＣＡＶの差異を含む）を判別できるようにすること。【解決手段】撮影レンズ２０１ａ，２０１ｂと、上記撮影レンズを通過した光が結像するフォーカシングスクリーン１０６と、上記フォーカシングスクリーンの明るさを測定することにより測光する測光回路１１８と、を備える一眼レフレクスカメラ１０において、上記測光回路１１８は、上記フォーカシングスクリーンの複数の所定部分の明るさを測定し、ボディ制御用マイクロコンピュータ１０４は、上記複数の所定部分の明るさの差異により、上記フォーカシングスクリーンの種類（ＣＡＶの差異を含む）を判別する。【選択図】図１
2009157282.tif 000002
【特許請求の範囲】
【請求項１】
撮影レンズと、
上記撮影レンズを通過した光が結像するフォーカシングスクリーンと、
上記フォーカシングスクリーンの明るさを測定することにより測光する測光手段と、
を備えるカメラにおいて、
上記測光手段は、上記フォーカシングスクリーンの複数の所定部分の明るさを測定し、上記複数の所定部分の明るさの差異により、上記フォーカシングスクリーンの種類を判別することを特徴とするカメラ。
【請求項２】
上記フォーカシングスクリーンの上記複数の所定部分は、撮影画面の中央部と周辺部とを含むことを特徴とする請求項１に記載のカメラ。
【請求項３】
上記フォーカシングスクリーンの上記複数の所定部分の一部に半透明部材を設けることを特徴とする請求項１に記載のカメラ。
【請求項４】
上記フォーカシングスクリーンの上記複数の所定部分の一部に蓄光材を設けることを特徴とする請求項１に記載のカメラ。
【請求項５】
判別された上記フォーカシングスクリーンの種類に応じて、演算またはテーブルにより上記測光手段の出力を補正するための補正値を演算する補正値演算手段を更に具備することを特徴とする請求項１乃至４の何れかに記載のカメラ。
【請求項６】
上記補正値演算手段は、上記撮影レンズの射出瞳位置または焦点距離の少なくとも何れか一つの情報と、上記撮影レンズの絞り値とに基づいて上記補正値を演算することを特徴とする請求項５に記載のカメラ。
【発明の詳細な説明】
【技術分野】
【０００１】
本発明は、デジタルカメラや銀塩カメラ等のカメラに関し、特に、フォーカシングスクリーンの明るさを測定することにより測光を行うカメラに関する。
【背景技術】
【０００２】
カメラの撮影において、被写界の明るさを適切に判断し、適切な露出をすることは、良い画質を得るために重要なことである。
【０００３】
一眼レフレクスカメラでは、撮影レンズの透過光を、フォーカシングスクリーンと呼ばれる拡散面を持つ光学部材に結像させる。撮影者はこのフォーカシングスクリーンに結像された像を見ながら、構図の決定、フォーカス確認を行う。
【０００４】
多くの一眼レフレクスカメラでは、被写体の明るさの測定方法として、上記フォーカシングスクリーンを透過する光量を、光センサ（以降、測光センサと記載する）で測定する方式が採用されている。
【０００５】
この光量測定の誤差要因として影響が大きいのが、フォーカシングスクリーンの光学特性である。
【０００６】
拡散面の拡散特性、集光用のフレネルなどにより、測光センサに届く光が変化する。
【０００７】
一方、フォーカシングスクリーンには、用途により方眼状の線が書かれたり、手動でピント合わせを容易にするためのプリズムが追加されていたり、様々な種類が存在する。そのようにフォーカシングスクリーンに線が書かれていたり、光学系が追加されたりしていれば、測光センサに届く光にも影響する。
【０００８】
また、拡散特性は、拡散面形成条件によって特性が異なる。樹脂を金型に流し込んで形成する際、同一種類のフォーカシングスクリーンであっても、その金型による依存性、流し込み方向により特性が決まる。
【０００９】
金型の内部に形成され、成型品とほぼ同じ形状を有し溶融樹脂が流れ込む空間であるキャビティ（以下ＣＡＶと称す）は、１個の金型内に通常は複数個形成されるが、複数のＣＡＶ間には製造ばらつきが発生するため、フォーカシングスクリーンにおいても上記拡散特性のばらつきが発生する。
【００１０】
このように、フォーカシングスクリーンに存在する光学的な差異は、測光センサへの光に影響し、被写体の明るさ測定時に誤差を生じさせる要因となっている。
【００１１】
そこで、フォーカシングスクリーンの種類や形成条件から生じる測光誤差に対応するために、以下の対策が提案されている。
【００１２】
例えば、特許文献１には、フォーカシングスクリーンの、測光領域とは別の判別領域に、種類に応じた光学パターンを設けて、その判別領域を測光することでパターン取得して、判別するという手法が提案されている。
【００１３】
また、特許文献２には、フォーカシングスクリーンの光学特性自体を測光手段により取得し、その取得した特性の結果により補正を決定するという提案もされている。
【００１４】
更に、フォーカシングスクリーン周辺部に突起を設け、この有無により２種類のスクリーンを判別するという手法も知られている。
【特許文献１】特開２００６−３１７５１９号公報
【特許文献２】特開２００６−１３９１８８号公報
【発明の開示】
【発明が解決しようとする課題】
【００１５】
しかしながら、上記特許文献１に開示されているような手法では、フォーカシングスクリーンが、判別領域追加分、大きくなってしまう。カメラの性格やユーザによっては、フォーカシングスクリーン交換を一度もせずにカメラの寿命を迎えることもあり、比較的頻度の少ないフォーカシングスクリーン交換のために、ＬＥＤなどの光源、光学系をわざわざ設ける必要があるという問題がある。
【００１６】
また、上記特許文献２に開示されているような手法では、実際に必要なフォーカシングスクリーンの特性データを取得するには、絞り対測光出力特性だけでは不完全であり、少なくとも射出瞳位置に関連する情報と、測光出力特性、または、焦点距離と測光出力特性が必要であるので、特性を取得するために、所定条件撮影レンズが複数必要となる。更に、正確に光学特性を取得するためには、被写体にも条件が必要となるという問題がある。
【００１７】
また、フォーカシングスクリーン周辺部に突起を設け、この有無により２種類のスクリーンを判別するという手法では、判別するためのメカ機構を必要としたり、多くのスクリーンを判別する場合、判別部分のスペースを多く必要とする。
【００１８】
本発明は、上記の点に鑑みてなされたもので、光学特性が異なるフォーカシングスクリーンを装着可能なカメラにおいて、ハードウエア追加無しで、フォーカシングスクリーンの種類（ＣＡＶの差異を含む）を判別することが可能なカメラを提供することを目的とする。
【課題を解決するための手段】
【００１９】
本発明のカメラの一態様は、
撮影レンズと、
上記撮影レンズを通過した光が結像するフォーカシングスクリーンと、
上記フォーカシングスクリーンの明るさを測定することにより測光する測光手段と、
を備えるカメラにおいて、
上記測光手段は、上記フォーカシングスクリーンの複数の所定部分の明るさを測定し、上記複数の所定部分の明るさの差異により、上記フォーカシングスクリーンの種類（ＣＡＶの差異を含む）を判別することを特徴とする。
【発明の効果】
【００２０】
本発明によれば、光学特性が異なるフォーカシングスクリーンを装着可能なカメラにおいて、ハードウエア追加無しで、フォーカシングスクリーンの種類（ＣＡＶの差異を含む）を判別することが可能となり、その結果、判別されたフォーカシングスクリーンの特性に応じた補正をかけることが可能となるカメラを提供することができる。
【発明を実施するための最良の形態】
【００２１】
以下、本発明を実施するための最良の形態を図面を参照して説明する。
【００２２】
［第１実施形態］
図１は、本発明のカメラの第１実施形態としての一眼レフレクスカメラの構成を示すブロック図である。なお、ここではデジタルカメラの例を示す。
【００２３】
同図に示すように、この一眼レフレクスカメラ１０は、ボディユニット１００と、交換可能なレンズユニット２００と、通信コネクタ１０１を介して撮影した画像データを記録する記録メディア３００と、ストロボ通信コネクタ１０２を介して接続される外付けのストロボユニット４００と、を有して構成される。
【００２４】
レンズユニット２００は、上記ボディユニット１００と着脱可能である。該レンズユニット２００は、撮影レンズ２０１ａ及び２０１ｂと、絞り２０２と、レンズ駆動機構２０３と、絞り駆動機構２０４と、レンズ制御用マイクロコンピュータ（Ｌμｃｏｍ）２０５と、から構成されている。
【００２５】
上記撮影レンズ２０１ａ及び２０１ｂは、レンズ駆動機構２０３内のＤＣモータ（図示せず）によって光軸方向に駆動される。絞り２０２は、絞り駆動機構２０４内のステッピングモータ（図示せず）によって駆動される。
【００２６】
Ｌμｃｏｍ２０５は、上記レンズ駆動機構２０３や絞り駆動機構２０４など、レンズユニット２００内の各部を駆動制御する。このＬμｃｏｍ２０５は、通信コネクタ１０３を介して後述するボディ制御用マイクロコンピュータ（Ｂμｃｏｍ）１０４と電気的に接続されて、Ｂμｃｏｍ１０４の指令に従い制御される。
【００２７】
ボディユニット１００は、以下のように構成される。
【００２８】
レンズユニット２００内の撮影レンズ２０１ａ及び１２０１ｂ、絞り２０２を介して入射される被写体からの光束は、クイックリターンミラー１０５により反射されて、フォーカシングスクリーン１０６に結像される。この像は、ペンタプリズム１０７を介して、接眼レンズ１０８に至る。
【００２９】
上記クイックリターンミラー１０５は、ハーフミラーになっており、該クイックリターンミラー１０５がダウン（図示の位置）した際に、一部の光束が通過する。この透過した光束は、該クイックリターンミラー１０５に設置されたサブミラー１０９で反射され、自動測距を行うためのＡＦセンサユニット１１０に導かれる。
【００３０】
クイックリターンミラー１０５のミラーアップ時には、このサブミラー１０９は、折り畳めるようになっている。
【００３１】
上記クイックリターンミラー１０５の後方には、光軸上のフォーカルプレーン式のシャッタユニット１１１と、光学系を通過した被写体像を光電変換するための撮像素子１１２を収容した撮像モジュール１１３が設けられている。
【００３２】
クイックリターンミラー１０５が光路より退避した場合、撮影レンズ２０１ａ及び２０１ｂを通った光束は、撮像モジュール１１３の撮像素子１１２に結像される。
【００３３】
上記撮像モジュール１１３内の撮像素子１１２に接続された撮像素子インターフェイス回路１１４と、記憶領域として設けられたＳＤＲＡＭ１１５と、液晶モニタ１１６と、上記通信コネクタ１０１を介して記録メディア３００とが、画像処理を行うための画像処理コントローラ１１７に接続されている。これらは、電子撮像機能と共に電子記録表示機能を提供できるように構成されている。
【００３４】
上記記録メディア３００は、外部記録媒体であり、通信コネクタ１０１を介してカメラのボディユニット１００と通信可能、且つ交換可能に装着される。
【００３５】
上記画像処理コントローラ１１７は、通信コネクタ１０１と、測光回路１１８と、ミラー駆動機構１１９と、ＡＦセンサ駆動回路１２０と、シャッタ駆動制御回路１２１と、図示しない不揮発性メモリ等と共に、このボディユニット１００内の各部を制御するためのＢμｃｏｍ１０４に接続されている。また、Ｂμｃｏｍ１０４は、連写時の撮影間隔を計測するタイマを有しているもので、カメラの全体の動作を制御する制御のほか、計数手段、モード設定手段、検出手段、判定手段、演算手段などの機能を有している。
【００３６】
上記Ｂμｃｏｍ１０４には、カメラの動作状態を表示出力によって撮影者へ告知するための動作表示用ＬＣＤ１２２と、カメラ操作スイッチ１２３と、電源回路１２４を介して電池１２５とが接続されている。
【００３７】
なお、上記Ｂμｃｏｍ１０４とレンズユニット２００内のＬμｃｏｍ２０５とは、レンズユニット２００の装着時において、通信コネクタ１０３を介して通信可能に電気的接続がなされる。そして、デジタルカメラとして、Ｌμｃｏｍ２０５がＢμｃｏｍ１０４に従属的に協働しながら稼動するようになっている。
【００３８】
上記測光回路１１８は、上記ペンタプリズム１０７からの光束に基づいて測光処理する回路である。この測光回路１１８内に、詳細は後述するような、被写界を複数に分割して被写界輝度を測定する多分割測光センサを有している。
【００３９】
上記ミラー駆動機構１１９は、クイックリターンミラー１０５を駆動制御する機構であり、ＡＦセンサ駆動回路１２０は、上記ＡＦセンサユニット１１０を駆動制御するための回路である。また、シャッタ駆動制御回路１２１は、上記シャッタユニット１１１内の先幕と後幕の動きを制御すると共に、Ｂμｃｏｍ１０４との間でシャッタの開閉動作を制御する信号ストロボユニット（図ではストロボユニット４００）と同調する信号の授受を行う。
【００４０】
図示しない不揮発性メモリは、そのほかの記憶領域として、カメラ制御に必要な所定の制御パラメータを記憶する手段であり、Ｂμｃｏｍ１０４からアクセス可能に設けられている。
【００４１】
上記動作表示用ＬＣＤ１２２は、カメラの動作状態を表示出力によって撮影者へ告知するためのものである。上記カメラ操作スイッチ１２３は、例えば撮影動作の実行を指示するレリーズスイッチ、撮影モードを連写モードや通常撮影モードなどに切り替えるモード変更スイッチ及びパワースイッチなど、カメラを操作するために必要な操作ボタン（撮影操作手段）を含むスイッチ群で構成される。
【００４２】
電源回路１２４は、電源としての電池１２５の電圧を、当該カメラの各回路ユニットが必要とする電圧に変換して供給するために設けられている。
【００４３】
ストロボユニット４００は、フラッシュ制御用マイクロコンピュータ（Ｆμｃｏｍ）４０１と、閃光発光部４０２と、発光制御回路４０３と、電池４０４とから構成される。そして、このストロボユニット４００は、ストロボ通信コネクタ１０２を介して、ボディユニット１００と通信可能に装着可能である。
【００４４】
このように構成された一眼レフレクスカメラ１０の各部は、次のように稼動する。
【００４５】
まず、画像処理コントローラ１１７により、Ｂμｃｏｍ１０４の指令に従って撮像素子インターフェイス回路１１４が制御されて、撮像モジュール１１３から画像データが取り込まれる。この画像データは、一時保管用メモリであるＳＤＲＡＭ１１５に取り込まれる。このＳＤＲＡＭ１１５は、画像データを変換する際のワークエリアなどに使用される。また、この画像データは、ＪＰＥＧデータに変換された後には、記録メディア３００に保管されるように設定されている。
【００４６】
ミラー駆動機構１１９は、上述したように、クイックリターンミラー１０５をアップ位置とダウン位置へ駆動するための機構である。ミラー駆動機構１１９によってクイックリターンミラー１０５がダウン位置にある時、撮影レンズ２０１ａ及び２０１ｂからの光束は、ＡＦセンサユニット１１０側と、ペンタプリズム１０７側へと分割されて導かれる。
【００４７】
ＡＦセンサユニット１１０内のＡＦセンサからの出力は、ＡＦセンサ駆動回路１２０を介してＢμｃｏｍ１０４へ送信されて、周知の測距処理が行われる。
【００４８】
一方、非露光時には、図２（Ａ）に示すように、クイックリターンミラー１０５がダウン位置となっており、撮影レンズ２０１ａ及び２０１ｂから入射した光束は、クイックリターンミラー１０５からペンタプリズム１０７に隣接する接眼レンズ１０８に導かれるので、撮影者はフォーカシングスクリーン１０６に結像された像を接眼レンズ１０８から目視できる。また、上記ペンタプリズム１０７を通過した光束の一部は、測光回路１１８内の多分割測光センサ（多分割ＡＥセンサ）１２６へ導かれ、ここで検知された光量に基づいて、測光処理が行われる。この多分割測光センサ１２６の詳細と、その後の処理については後述する。
【００４９】
なお、露光時には、図２（Ｂ）に示すように、クイックリターンミラー１０５がアップ位置となっており、撮影レンズ２０１ａ及び２０１ｂから入射した光束は、接眼レンズ１０８及び多分割測光センサ１２６には導かれず、撮像素子１１２へと導かれる。
【００５０】
シャッタ駆動制御回路１２１では、Ｂμｃｏｍ１０４からシャッタを駆動制御するための信号を受け取ると、その信号に基づいてシャッタユニット１１１を制御する。それと共に、Ｂμｃｏｍ１０４から所定のタイミングで、ストロボ通信コネクタ１０２を介してＦμｃｏｍ４０１及び発光制御回路４０３に、ストロボを発光させるための発光信号が出力される。Ｂμｃｏｍ１０４からは、上記発光信号に基づいて、通信により発光モードに応じた発光指令信号が出力される。
【００５１】
また、撮影者によって上述したカメラ操作スイッチ１２３の中のモード変更スイッチが操作されて、撮影モードから画像表示モードへ切り替えられると、記録メディア３００に保管された画像データが読み出されて、液晶モニタ１１６に表示可能である。記録メディア３００から読み出された画像データは、画像処理コントローラ１１７においてビデオ信号に変換され、液晶モニタ１１６にて出力表示される。
【００５２】
ここでストロボユニット４００による調光について説明する。  
一般的な調光としては、プリ発光調光制御がある。このプリ発光調光制御は、撮影に先立って閃光発光部４０２を発光するプリ発光が行われ、このプリ発光によって被写体から撮影レンズ２０１ａ，２０１ｂを透過して前述の測光回路１１８内の多分割測光センサ１２６に届く反射光の光量により、本撮影時の閃光発光部４０２の発光量が演算されて決定されるものである。
【００５３】
ここで、多分割測光センサ１２６を含む測光回路１１８について、図３を参照して更に詳細に説明する。  
多分割測光センサ１２６は、受光面に配置した複数のフォトダイオード（ＰＤ）からなり、測光回路１１８は、これらフォトダイオードごとの出力を得る回路を更に備え、被写界を分割して測定する。
【００５４】
即ち、受光面に配置された各ＰＤは、受光量に応じた電流を発生する特性を持つ。この電流を、各ＰＤに接続された電流電圧変換回路（例えば対数圧縮アンプ１２７）に入力して、電流量に応じた電圧値に変換する。各電流電圧変換回路の出力端はＳＷに接続されており、これらのＳＷの一つをＯＮさせて、変換された電圧を電圧増幅回路１２８で増幅した後、Ｂμｃｏｍ１０４が備えるＡ／Ｄ変換回路１２９に入力する。Ｂμｃｏｍ１０４は、上記不図示の不揮発性メモリに記憶された制御パラメータを用いて、上記測定された電圧値をＰＤ受光量に変換する。ＳＷを切り替えることで、光量測定するＰＤを切り替え、分割された被写界輝度をそれぞれ測定することができる。
【００５５】
図４は、このような一眼レフレクスカメラ１０の基本シーケンスからコールされるレリーズ検知シーケンスのフローチャートを示す図である。
【００５６】
即ち、非露光時は、撮影レンズ２０１ａ及び２０１ｂから、入射する光を、クイックリターンミラー１０５で反射させて、接眼レンズ１０８まで光を導く。このとき、測光回路１１８の多分割測光センサ１２６にも一部の光が入射する。撮影者は、非露光時の状態で、接眼レンズ１０８から被写体を見て構図を決め、カメラ操作スイッチ１２３の中の撮影動作の実行を指示するレリーズスイッチをＯＮする。基本シーケンスにおいて上記レリーズスイッチのＯＮを検知すると、図４のレリーズ検知シーケンスがコールされる。
【００５７】
このレリーズ検知処理においては、Ｂμｃｏｍ１０４はまず、ＡＦセンサ駆動回路１２０によりＡＦセンサユニット１１０を駆動して、ＡＦセンサユニット１１０内のＡＦセンサからの出力をＡＦセンサ駆動回路１２０を介して受信し、周知の測距処理を行う（ステップＳ１０１）と共に、測光回路１１８によって上述の光量測定を行い（ステップＳ１０２）、その測定結果に基づいて露光量を演算する（ステップＳ１０３）。
【００５８】
その露光量演算の結果、閃光発光部４０２をストロボ発光させるフラッシュ撮影する必要があれば（ステップＳ１０４）、ストロボユニット４００に上述したようなプリ発光動作を行わせ（ステップＳ１０５）、測光回路１１８による光量測定結果に基づいて、本撮影時の閃光発光部４０２の発光量を演算する（ステップＳ１０６）。
【００５９】
そして、ミラー駆動機構１１９によりクイックリターンミラー１０５をアップ位置に駆動する（ステップＳ１０７）。その後、シャッタ駆動制御回路１２１によりシャッタユニット１１１のシャッタの開閉を制御して、画像処理コントローラ１１７により撮像素子インターフェイス回路１１４を介して撮像素子１１２に撮像を行わせる露光動作を実施する（ステップＳ１０８）。そして、ミラー駆動機構１１９によりクイックリターンミラー１０５を元のダウン位置に戻す（ステップＳ１０９）。
【００６０】
その後、シャッタ駆動制御回路１２１によりシャッタユニット１１１のシャッタを、撮影可能な状態に戻しておく（ステップＳ１１０）。そして、画像処理コントローラ１１７により、ＳＤＲＡＭ１１５に一時記憶した画像データをＪＰＥＧ等の所定のデータ形式に変換して、記録メディア３００記録して（ステップＳ１１１）、基本ルーチンに戻る。
【００６１】
なお、上記ペンタプリズム１０７とクイックリターンミラー１０５の間に配置されるフォーカシングスクリーン１０６としては、光学特性が異なるものを任意に撮影者が交換可能となっている。
【００６２】
図５（Ａ）に示すように、撮影レンズ２０１で撮影される被写界５００が、クイックリターンミラー１０５で反射され、このフォーカシングスクリーン１０６で結像する。フォーカシングスクリーン１０６は拡散面を持つ板状のもので、結像した像を目でみることにより、撮影者は構図を決める。なお、撮影レンズ２０１は、上記撮影レンズ２０１ａ，２０１ｂを合わせて一つのレンズとして描いたものである。
【００６３】
図５（Ｂ）は、フォーカシングスクリーン１０６の実物例を示す図であり、中央部に円が描かれている模様を有している。この他にも、方眼状の線が描かれていたり、線が無かったり、プリズムが中央部に構成されているものなどがある。
【００６４】
このようにフォーカシングスクリーン１０６の光学特性に、それぞれ違いが存在すると、被写界５００の光が多分割測光センサ１２６に届く経路の間にフォーカシングスクリーン１０６が配置されているため、フォーカシングスクリーン１０６の結像状態を表している図５（Ｃ）に示すように、多分割測光センサ１２６に到達する光量も変化してしまう。
【００６５】
そこで、本実施形態における一眼レフレクスカメラ１０では、以下のようにしてフォーカシングスクリーン１０６の種類（ＣＡＶの差異を含む）を判断している。
【００６６】
即ち、図６に示すように、フォーカシングスクリーン１０６の一部に、半透明のフィルム１０６Ａを配置する。このフィルム１０６Ａは、フォーカシングスクリーン１０６の種類（ＣＡＶの差異を含む）ごとに、配置する位置を変更する。
【００６７】
図６では、「ＣＡＶ１」と「ＣＡＶ２」という名称のフォーカシングスクリーン１０６を判別する例として、ＣＡＶ１なるフォーカシングスクリーン１０６には左上に、ＣＡＶ２なるフォーカシングスクリーン１０６には右上に、半透明フィルム１０６Ａを配置している。
【００６８】
この半透明フィルム１０６Ａの透過率は、構図確認時に撮影者の目でフォーカシングスクリーン１０６を見たときに、違和感がなく、多分割測光センサ１２６で検知できる値に設定する。透過率は約５〜３０％程度に設定するのが適正と考えられる。  
本実施形態では、１０％の設定とする。
【００６９】
このようなフォーカシングスクリーン１０６を装着された一眼レフレクスカメラ１０において、フォーカシングスクリーン１０６の種類（ＣＡＶの差異を含む）を判別する際には、白壁など、被写界５００全体が均一輝度（本実施形態の場合、最低限、フィルム１０６Ａを配置したエリア近傍が均一輝度でも良い）となるような被写体に、撮影レンズ２０１を向ける。このような状態で多分割測光センサ１２６により被写界５００の光を測定すると、半透明フィルム１０６Ａを配置したエリアを測光する測光値は、他のエリアの測光値と比べ１０％程度暗い。
【００７０】
図７（Ａ）は縦横７×７で等分割された多分割測光センサ１２６の測光エリアの配置を示す図で、「１」〜「４９」の数字は、測光エリアの番号を表している。また、図７（Ｂ）は、被写界５００と測光エリアを重ねて示す図である。
【００７１】
図７（Ａ）に示すような多分割測光センサ１２６により図７（Ｂ）に示すように一般的な被写体を７×７等分割エリアに分けて測光する構成において、均一輝度の被写体を撮影すると、ＣＡＶ１なるフォーカシングスクリーン１０６では、測光エリア「１」〜測光エリア「３」が上記半透明フィルム１０６Ａの設置範囲に入っているため暗く、ＣＡＶ２なるフォーカシングスクリーン１０６では測光エリア「５」〜測光エリア「７」が暗い出力が観測される。
【００７２】
即ち、測光エリア「１」〜測光エリア「７」に関して、（１，２，３，５，６，７）＝（暗，暗，暗，明，明，明）という出力が多分割測光センサ１２６から取得されれば、当該一眼レフレクスカメラ１０に装着されているフォーカシングスクリーン１０６は、ＣＡＶ１なるフォーカシングスクリーン１０６であると判明する。
【００７３】
図８を参照して、このフォーカシングスクリーン１０６の種類（ＣＡＶの差異を含む）を判別するＣＡＶ判定動作シーケンスを説明する。  
即ち、図９（Ａ）に示すように、一眼レフレクスカメラ１０を白壁５０１に向けて配置した後、撮影者によって上述したカメラ操作スイッチ１２３の中のモード変更スイッチが操作されて、撮影モードからＣＡＶ判定モードへ切り替えられると、一眼レフレクスカメラ１０の基本シーケンスから図８のＣＡＶ判定動作シーケンスがコールされる。
【００７４】
このＣＡＶ判定動作シーケンスにおいてはまず、被写体にピントを合わせる動作を行う（ステップＳ１２１）。ここでは、被写体がぼやけていても、フォーカシングスクリーン１０６のうち多分割測光センサ１２６で測光される部分が、均一光になるようにすれば良いので、ピント合わせ動作を、被写体が無限にあるときと同様に撮影レンズ２０１を無限にピントが合うレンズ位置にマニュアルフォーカス等で駆動させる。
【００７５】
なお、白壁５０１は、図９（Ｂ）に示すような全面白壁５０１Ａに限定するものではなく、例えば図９（Ｃ）に示すように、フィルム１０６Ａを配置したエリアの近傍に対応する判定エリア５０２のみが白均一な白壁５０１Ｂであっても良い。このような白壁５０１Ｂの場合は、被写体にピントを合わせるように撮影レンズ２０１を駆動させたほうが良い。
【００７６】
次に、測光動作を行うことで、測光エリア４９個の明るさが得られる（ステップＳ１２２）。
【００７７】
そして、測光エリア「１」〜測光エリア「７」が輝度差が所定の範囲外であるか否かを判別することで、フォーカシングスクリーン１０６の種類（ＣＡＶの差異を含む）判定できるデータが取得できたかどうかを確認する（ステップＳ１２３）。測光エリア「１」〜測光エリア「７」すべて輝度差が無い場合や、フォーカシングスクリーン１０６に配置された半透明フィルム１０６Ａが生じさせる輝度ムラのレベルを超えた、例えば２段（光量４倍）以上の大きい輝度差が生じた場合、輝度差が所定の範囲外であると判別する。この場合には、被写界５００が適切ではないという告知を、動作表示用ＬＣＤ１２２で行う（ステップＳ１２４）。
【００７８】
これに対して、輝度差が所定範囲内であると判別した場合には、更に、測光エリア「１」〜測光エリア「３」の平均値と、測光エリア「５」〜測光エリア「７」の平均値とを求め、どちらが暗いかを調べる（ステップＳ１２５）。測光エリア「５」〜測光エリア「７」の平均値の方が明るければ、測光エリア「１」〜測光エリア「３」には半透明フィルム１０６Ａが配置されていると判断し、装着されているのはＣＡＶ１なるフォーカシングスクリーン１０６であると判定する（ステップＳ１２６）。また、測光エリア「１」〜測光エリア「３」の平均値の方が明るい場合は、測光エリア「５」〜測光エリア「７」には半透明フィルム１０６Ａが配置されていると判断し、装着されているのはＣＡＶ２なるフォーカシングスクリーン１０６であると判定する（ステップＳ１２７）。
【００７９】
なおここで、被写体が不適切でないか確認するために、同じ透過率の半透明フィルム１０６Ａが配置される測光エリア「１」と測光エリア「２」と測光エリア「３」の間の輝度差、もしくは、測光エリア「５」と測光エリア「６」と測光エリア「７」の間の輝度差を求め、輝度差が大きい場合は上記ステップＳ１２４で行ったような被写体不適切告知を実施するようにしても良い。
【００８０】
このようにして、装着されているフォーカシングスクリーン１０６の種類（ＣＡＶの差異を含む）判定ができるで、その判定されたフォーカシングスクリーン１０６の種類（ＣＡＶの差異を含む）に最適な測光補正値を演算する（ステップＳ１２８）。その演算方法は、撮影レンズ２０１の開放絞り値や射出瞳位置、焦点距離を変数とした、計算式によるものでも良いし、テーブルを参照する方法でも良い。具体的な補正方法は本題ではないので詳細は割愛するが、例えば開放絞り値による補正が図１０のようにグラフで示される場合、この曲線を数式で計算するとき、フォーカシングスクリーン１０６の種類（ＣＡＶの差異を含む）ごとに数式が必要になる。従来ではＣＡＶ１なるフォーカシングスクリーン１０６とＣＡＶ２なるフォーカシングスクリーン１０６の平均値を補正値として使っていたが、本実施形態によるフォーカシングスクリーン１０６の種類（ＣＡＶの差異を含む）判別により、より最適な輝度補正値を求めることが可能となる。なお、実際の測光センサ出力に該演算した測光補正値を加算したものが、測光エリア輝度として使用される。
【００８１】
そして、演算した測光補正値を、例えば図示しない不揮発性メモリに記憶する（ステップＳ１２９）。このようにフォーカシングスクリーン１０６の種類（ＣＡＶの差異を含む）判定結果もしくは演算した測光補正値を不揮発性に記憶しておくことで、再度フォーカシングスクリーン１０６が交換されるまで、再度ＣＡＶ判定動作シーケンスを実行することなく、最適な輝度補正値を得ることができる。
【００８２】
以上のようにして、測光精度を向上できる。
【００８３】
なお、本実施形態では、多分割測光センサ１２６の例を記載していたが、多分割測光センサ１２６の代わりに、より情報の多い撮像素子を用いて、同様の判定をすることも容易に可能である。フォーカシングスクリーン１０６に結像された像を、撮像素子で秒３０駒程度の速度で取得し、これを動作表示用ＬＣＤ１２２に表示することで、撮影者は接眼レンズ１０８を覗かずに構図を確認できるというカメラも存在するが、このような撮像素子においてもフォーカシングスクリーン１０６の種類（ＣＡＶの差異を含む）を判別することで、フォーカシングスクリーン１０６に応じた画像の補正を行うことができるので、表示品質を上げることができる。
【００８４】
なお、本実施形態では、画面上部だけではなく、下、左、右にフィルム１０６Ａを設置も可能な構成であり、半透明フィルム１０６Ａを複数配置し、半透明フィルム１０６Ａ配置の組合せにより、多くの種類（ＣＡＶの差異を含む）を判別することが可能である。
【００８５】
以上のように、本第１実施形態によれば、フォーカシングスクリーン１０６の被写体測光領域の一部に半透明フィルム１０６Ａを配置することで、撮影レンズ２０１からフォーカシングスクリーン１０６を経由して多分割測光センサ１２６に至る光路で、判別用の輝度差による信号を生じさせるようにし、白壁５０１などの単色の被写体明るさが概略均一の被写体を測光したときに、判定部分に相当する多分割測光センサ１２６の出力から、一眼レフレクスカメラ１０に装着されているフォーカシングスクリーン１０６の種類（ＣＡＶの差異を含む）を判定するようにしているので、一眼レフレクスカメラ１０にハードウエアを追加すること無く、製造過程の微妙な違いによって特性が大きく変わるフォーカシングスクリーン１０６の種類（ＣＡＶの差異を含む）を判断することができる。従って、被写体を測光する際の補正値が、フォーカシングスクリーン１０６に応じたものにすることができ、結果、正確に被写体の明るさを測定することが可能となるので、より安定して、美しい撮影画像を手にいれることができる。
【００８６】
なお、上記輝度差は、目視では判断が困難であるが、多分割測光センサ１２６では確実に判断できる程度の輝度差である。
【００８７】
［第２実施形態］
フォーカシングスクリーン１０６の生成工程において、型（ＣＡＶ）に樹脂を流し込む方向により、フォーカシングスクリーン１０６の拡散面の拡散性が、場所によりムラが生じる。
【００８８】
拡散が大きければ、開放絞り値Ｆ５．６などの比較的暗いレンズにおいて、多分割測光センサ１２６へ光が届きにくくなる。
【００８９】
一方、開放絞り値Ｆ２のような明るいレンズでは、多分割測光センサ１２６への光路が広く、拡散の大小による差異は小さい。
【００９０】
本実施形態では、フォーカシングスクリーン１０６の種類（ＣＡＶの差異を含む）判別のための信号として、拡散面の拡散ムラを利用した判別手段について記載する。
【００９１】
図５（Ａ）に示したようなフォーカシングスクリーン１０６と多分割測光センサ１２６の位置関係を、クイックリターンミラー１０５による屈折を除いたストレート光学系で表すと、図１１に示すように表される。
【００９２】
即ち、フォーカシングスクリーン１０６のスクリーン面の垂線方向には、撮影者が覗いて被写体の構図を確認するための接眼レンズ１０８を配置している。多分割測光センサ１２６は、フォーカシングスクリーン１０６のスクリーン面の垂線に対し「やぶにらみ角」と称される角度方向に配置される。そのため、撮影レンズ２０１の光軸方向に配置された接眼レンズ１０８への光と比べ、多分割測光センサ１２６に届く光はフォーカシングスクリーン１０６の拡散光成分が大きい。
【００９３】
図１２（Ａ）及び（Ｂ）は、光束と拡散光についての説明図である。  
開放絞り値がＦ２．０と明るいレンズの場合、光束が広く、図１２（Ａ）に示すように、フォーカシングスクリーン１０６に広い角度から光が入射する。そのため、フォーカシングスクリーン１０６のスクリーン面に対し垂直方向の光の他に、多分割測光センサ１２６に届く斜め方向の光も強い出力となる。
【００９４】
一方、開放絞り値がＦ５．６と暗いレンズの場合は、光束が狭く、図１２（Ｂ）に示すように、フォーカシングスクリーン１０６に入射する光の角度が狭くなり、その結果、多分割測光センサ１２６に届く光は、フォーカシングスクリーン１０６の拡散面による拡散光成分が多くなる。そのため、フォーカシングスクリーン１０６の拡散特性が弱い場合、多分割測光センサ１２６への光が少なくなるという特性を持つ。
【００９５】
従来では、全面が適切な拡散特性となるようフォーカシングスクリーン１０６を製造してきたが、本実施形態では、そのような開放絞り値によりフォーカシングスクリーン１０６の拡散特性の影響が変わることを利用して、フォーカシングスクリーン１０６の種類（ＣＡＶの差異を含む）判別のための信号に用いるところが特徴である。
【００９６】
以下、図７（Ａ）に示した測光エリア「１」〜測光エリア「７」を判定エリアとして用いて、フォーカシングスクリーン１０６の種類（ＣＡＶの差異を含む）を判別する手法を説明する。  
なお、図１１の構成では、それら判定エリア１２６Ａである測光エリア「１」〜測光エリア「７」は、図１３（Ａ）に示すように、多分割測光センサ１２６の上部一列に配置しているものとする。この一列は、やぶにらみ角が大きくなり、結果、拡散光の増減が一番影響するので、フォーカシングスクリーン１０６の判別手段の信号を配置するには都合が良い。
【００９７】
開放絞り値がＦ２．０のレンズでは、多分割測光センサ１２６の配光状態は一緒であるが、開放絞り値がＦ５．６のレンズの場合、図１３（Ｂ）乃至（Ｄ）に示すように、フォーカシングスクリーン１０６の成型のバラツキによって、配光分布にバラツキが発生する。
【００９８】
拡散特性が弱い部分は、前述の説明通りに開放絞りが暗いときに、より暗くなる特性となる。
【００９９】
ＣＡＶ１なるフォーカシングスクリーン１０６では、図１３（Ｂ）に示すように、多分割測光センサ１２６の上部真ん中の測光エリアが測定する一部の拡散特性が弱めに形成されている。ＣＡＶ２なるフォーカシングスクリーン１０６では、図１３（Ｃ）に示すように、多分割測光センサ１２６の右上の測光エリアが測定する部分の拡散特性が弱く形成されている。そして、ＣＡＶ３なるフォーカシングスクリーン１０６では、図１３（Ｄ）に示すように、多分割測光センサ１２６の右上及び左上の測光エリアが測定する部分の拡散特性が弱く形成されている。
【０１００】
一眼レフレクスカメラ１０に組み込まれたフォーカシングスクリーン１０６が何れであるのかを判別するために、上記第１実施形態と同様、図９（Ａ）に示すように当該一眼レフレクスカメラ１０を配置する。
【０１０１】
この状態で、各測光エリアの輝度から、下記式（１）乃至式（３）により、左輝度、中央輝度、及び右輝度を求める。  
左輝度＝（測光エリア「１」輝度＋測光エリア「２」輝度）／２  −  測光エリア「２５」輝度              ・・・（１）  
中央輝度＝（測光エリア「３」輝度＋測光エリア「４」輝度＋測光エリア「５」輝度）／３  −  測光エリア「２５」輝度              ・・・（２）  
右輝度＝（測光エリア「６」輝度＋測光エリア「７」輝度）／２  −  測光エリア「２５」輝度              ・・・（３）  
なお、測光エリア「２５」は画面中央のエリアである。このような相対的な比較を行うことで、被写体の明るさの制約を受けないようにする。
【０１０２】
図１４は、本実施形態におけるＣＡＶ判定動作シーケンスのフローチャートを示す図であり、該ＣＡＶ判定動作シーケンス中で、この演算を実施し、その演算結果を用いてフォーカシングスクリーン１０６の種類（ＣＡＶの差異を含む）を判別する。
【０１０３】
即ち、図９（Ａ）に示すように、一眼レフレクスカメラ１０を白壁５０１に向けて配置した後、撮影者によって上述したカメラ操作スイッチ１２３の中のモード変更スイッチが操作されて、撮影モードからＣＡＶ判定モードへ切り替えられると、一眼レフレクスカメラ１０の基本シーケンスから図１４のＣＡＶ判定動作シーケンスがコールされる。
【０１０４】
なお、この図１４のＣＡＶ判定動作シーケンスは、当該一眼レフレクスカメラ１０がレンズユニット２００交換式で、装着された撮影レンズ２０１がＦ２．８で明るい場合、よりフォーカシングスクリーン１０６の種類（ＣＡＶの差異を含む）判定が正しくできるようにチェックする機能を設けた例である。実際のフォーカシングスクリーン１０６の種類（ＣＡＶの差異を含む）判定動作は、ステップＳ１３５から行われる。
【０１０５】
通常、レンズユニット交換式の一眼レフレクスカメラ１０は、撮影するときを除き、レンズユニット２００の絞り２０２は開放状態である。測光は、このレンズ絞り開放状態で行われる。
【０１０６】
そこで、まず、Ｂμｃｏｍ１０４は、Ｌμｃｏｍ２０５と通信することで、レンズユニット２００の開放絞りがＦ２．８より明るいか否かを判別し（ステップＳ１３１）、明るい場合には、そのまま開放状態で測光回路１１８により測光動作を行う（ステップＳ１３２）。ここで、開放絞りでは無い場合には、Ｌμｃｏｍ２０５に指示して、絞り駆動機構２０４により絞り２０２を開放にするもしくはＦ２．８よりも明るい絞りに設定した上で、測光動作を行う。
【０１０７】
そして、フォーカシングスクリーン１０６の種類（ＣＡＶの差異を含む）を判定する判定エリア１２６Ａである測光エリア「１」〜測光エリア「７」で、それぞれの測光値の違い（輝度差）が大きいかどうかチェックする（ステップＳ１３３）。もし、輝度差が大きい場合、例えば７つのエリアで２段分の輝度差が生じていた場合は、被写体が不適切であるという警告を動作表示用ＬＣＤ１２２により告知して（ステップＳ１３４）、該ＣＡＶ判定動作シーケンスを終了する。
【０１０８】
上記ステップＳ１３１において、Ｆ２．８よりも開放絞りが暗いと判定した場合には、もともと配光ムラが生じるので、上記ステップＳ１３２及びステップＳ１３３による測光値のチェックせずにステップＳ１３５へ進む。また、上記ステップＳ１３３で測光値の輝度差が小さいと判断されて場合もステップＳ１３５に進む。
【０１０９】
ステップＳ１３５においては、Ｌμｃｏｍ２０５に指示して、絞り駆動機構２０４により絞り２０２をＦ５．６に制御する。このようにすることで、前述の図１２（Ｂ）を参照して説明した通り、フォーカシングスクリーン１０６の拡散性強弱が現れ易くなる。
【０１１０】
そして、このまま測光回路１１８により測光動作を行って、判定エリア１２６Ａの測光値を取得し、上記式（１）乃至式（３）により、左輝度、中央輝度、及び右輝度を算出する（ステップＳ１３６）。
【０１１１】
本実施形態で使用するフォーカシングスクリーン１０６は、図１３（Ｂ）乃至（Ｄ）のＣＡＶ１、ＣＡＶ２、ＣＡＶ３であるので、ＣＡＶ１は中央輝度が他のものより暗くなる。
【０１１２】
そこで、まず、上記式（２）により求めた中央輝度が、所定の判定値１よりも大きいかどうかで、装着されているフォーカシングスクリーン１０６がＣＡＶ１であるかどうかを判定する（ステップＳ１３７）。ここで、中央輝度が判定値１以下である場合は、装着されているフォーカシングスクリーン１０６はＣＡＶ１であると判定する（ステップＳ１３８）。
【０１１３】
中央輝度の方が判定値１よりも大きい場合は、装着されているフォーカシングスクリーン１０６はＣＡＶ２かＣＡＶ３のどちらかであるので、更に、上記式（１）で求めた左輝度と上記（３）式で求めた右輝度の差分をとり、その輝度差が所定の判定値２よりも大きいか小さいかで、何れであるのかの判定を行う（ステップＳ１３９）。これは、Ｆ５．６では、ＣＡＶ２なるフォーカシングスクリーン１０６は図１３（Ｃ）に示すように左が明るく、右が暗いという拡散特性を持ち、ＣＡＶ３なるフォーカシングスクリーン１０６は図１３（Ｄ）に示すように左右両方暗いという拡散特性を持たせている。そのため、上記演算した左輝度から右輝度を引いたときの差分が大きいほうがＣＡＶ２、小さい方がＣＡＶ３であることが判別できることを利用している。即ち、左輝度−右輝度が判定値２より大きい場合は、装着されているフォーカシングスクリーン１０６はＣＡＶ２であると判定し（ステップＳ１４０）、左輝度−右輝度が判定値２以下である場合は、装着されているフォーカシングスクリーン１０６はＣＡＶ３であると判定する（ステップＳ１４１）。
【０１１４】
このようにして、フォーカシングスクリーン１０６の種類（ＣＡＶの差異を含む）を判別できたので、後は上述した第１実施形態と同様に、その判定されたフォーカシングスクリーン１０６の種類（ＣＡＶの差異を含む）に最適な測光補正値を演算して（ステップＳ１２８）、その演算した測光補正値を、例えば図示しない不揮発性メモリに記憶する（ステップＳ１２９）ことで、より正確な光量測定が実施できる。
【０１１５】
以上のように、本第２実施形態によれば、フォーカシングスクリーン１０６の被写体測光領域の一部に存在する拡散面の拡散ムラによって、撮影レンズ２０１からフォーカシングスクリーン１０６を経由して多分割測光センサ１２６に至る光路で、判別用の輝度差による信号を生じさせ、白壁５０１などの単色の被写体明るさが概略均一の被写体を測光したときに、判定部分に相当する多分割測光センサ１２６の出力から、一眼レフレクスカメラ１０に装着されているフォーカシングスクリーン１０６の種類（ＣＡＶの差異を含む）を判定するようにしているので、一眼レフレクスカメラ１０にハードウエアを追加すること無く、製造過程の微妙な違いによって特性が大きく変わるフォーカシングスクリーン１０６の種類（ＣＡＶの差異を含む）を判断することができる。従って、被写体を測光する際の補正値が、フォーカシングスクリーン１０６に応じたものにすることができ、結果、正確に被写体の明るさを測定することが可能となるので、より安定して、美しい撮影画像を手にいれることができる。
【０１１６】
［第３実施形態］
本第３実施形態は、蓄光材をフォーカシングスクリーン１０６周辺部に付着させ、クイックリターンミラー１０５のミラー制御により光を遮光し、その間、蓄光効果により発光している光を、多分割測光センサ１２６で測光することで、蓄光材付着位置を検出し、この検出された位置によりフォーカシングスクリーン１０６の種類（ＣＡＶの差異を含む）を判定するようにしたものである。
【０１１７】
即ち、図１５に示すように、フォーカシングスクリーン１０６の周辺縁に、蓄光材１０６Ｂを塗布する。判別したいフォーカシングスクリーン１０６の種類（ＣＡＶの差異を含む）ごとに、蓄光材１０６Ｂの配置位置（配置数を含む）を異ならせる。
【０１１８】
ここで、蓄光材１０６Ｂは、光を与えると、その後暗くしても所定時間光続ける材料である。従って、この蓄光材１０６Ｂに光を与え、その後フォーカシングスクリーン１０６全体を暗黒に近い状態にして、蓄光材１０６Ｂが光っている部分を多分割測光センサ１２６で検出することにより、フォーカシングスクリーン１０６の種類（ＣＡＶの差異を含む）判別を行う。
【０１１９】
フォーカシングスクリーン１０６に光を与えたり、遮光して一時的に暗黒状態にする構成としては、例えば、図１６に示すようなものが考えられる。即ち、撮影者が覗いて構図を確認する接眼レンズ１０８に、アイピースカバー１３０という、遮光部材を装着する。アイピースカバー１３０は、リモコン撮影など撮影者が接眼レンズ１０８（ファインダ窓）を覗いていないときに、接眼レンズ１０８から入射する光が多分割測光センサ１２６へ到達するのを防ぐ為に、接眼レンズ１０８を覆う外装１３１に装着できる部材であり、多くのレンズ交換式カメラで備えられている部品である。他のアイピースカバー１３０の構成としては、接眼レンズ１０８の前又は後ろに配置されたシャッタ部材として形成され、該シャッタ部材を閉状態とすることで遮光できるようにしているものも知られている。
【０１２０】
このアイピースカバー１３０により、接眼レンズ１０８側から入射する光は遮光される。
【０１２１】
次に、撮影レンズ２０１側からの光を、クイックリターンミラー１０５により、遮光したり光を導いたりを数十ｍｓオーダで制御する。クイックリターンミラー１０５を、フォーカシングスクリーン１０６側に移動させるミラーアップを行うことで、フォーカシングスクリーン１０６は、図１６において太線で書かれた外装１３１による遮光を含めて完全に遮光される。逆にクイックリターンミラー１０５を下ろし、撮影レンズ２０１の光をフォーカシングスクリーン１０６に導けば、フォーカシングスクリーン１０６に配置された蓄光材１０６Ｂに光が蓄えられる。
【０１２２】
従って、クイックリターンミラー１０５を下ろし、撮影レンズ２０１からの光をフォーカシングスクリーン１０６に導いて、フォーカシングスクリーン１０６の縁にその種類（ＣＡＶの差異を含む）ごとに異なる位置に配置された蓄光材１０６Ｂに光を当て、その後、ミラーアップを行うことで、蓄光材１０６Ｂからの光以外の光が遮光されて、多分割測光センサ１２６では蓄光材１０６Ｂからの光のみ検出されるようにすることができる。
【０１２３】
ミラーアップ時、図７（Ａ）に示すような多分割測光センサ１２６の測光エリアのうち、明るい箇所が測光エリア「２」のみであればＣＡＶ１なるフォーカシングスクリーン１０６であり、測光エリア「４」及び測光エリア「５」のみであればＣＡＶ２なるフォーカシングスクリーン１０６であり、その他であれば、別のフォーカシングスクリーン１０６であるということが判定できる。この方法では、測光エリア「１」〜測光エリア「７」だけではなく、左端一列の測光エリア「８」，「１５」，「２２」，「２９」，「３６」や、右端一列の測光エリア「１４」，「２１」，「２８」，「３５」，「４９」、一番下の列の測光エリア「４３」〜測光エリア「４９」の辺も使うことができるので、蓄光材１０６Ｂの塗布の場所と数の組合せは無数にでき、多くのフォーカシングスクリーン１０６の種類（ＣＡＶの差異を含む）判別手段とすることができる。
【０１２４】
図１７は、本実施形態におけるＣＡＶ判定動作シーケンスのフローチャートを示す図である。即ち、アイピースカバー１３０によって接眼レンズ１０８側から入射する光が遮光された状態で、撮影者によって上述したカメラ操作スイッチ１２３の中のモード変更スイッチが操作されて、撮影モードからＣＡＶ判定モードへ切り替えられると、一眼レフレクスカメラ１０の基本シーケンスから図１７のＣＡＶ判定動作シーケンスがコールされる。
【０１２５】
このＣＡＶ判定動作シーケンスにおいては、Ｂμｃｏｍ１０４は、まず、ミラー駆動機構１１９によりクイックリターンミラー１０５をミラーダウンさせ（ステップＳ１５１）、そのまま測光回路１１８により測光動作を行って、撮影レンズ２０１から入る光の量を測定する（ステップＳ１５２）。このとき、接眼レンズ１０８側は遮光されているので、多分割測光センサ１２６には、接眼レンズ１０８側から光は入射しない。
【０１２６】
そして、その結果、撮影レンズ２０１からの光の量が、所定量よりも明るいか否かを判別し（ステップＳ１５３）、明るい場合には、その測光値に応じた時間、ミラーダウン状態を維持して、フォーカシングスクリーン１０６に配置された蓄光材１０６Ｂに光を与える（ステップＳ１５４）。その後、ミラー駆動機構１１９によりクイックリターンミラー１０５をミラーアップ、即ちクイックリターンミラー１０５を上に移動し、フォーカシングスクリーン１０６を遮光状態にする（ステップＳ１５５）。そして、測光回路１１８により測光動作をすることで、蓄光材１０６Ｂの光を多分割測光センサ１２６で検出し（ステップＳ１５６）、明るい場所を検出することができる（ステップＳ１５７）。
【０１２７】
これに対して、上記ステップＳ１５３で暗いと判断された場合は、Ｆμｃｏｍ４０１と通信して閃光発光部４０２をストロボ発光させ（ステップＳ１５８）、被写体に反射した光を撮影レンズ２０１を通してフォーカシングスクリーン１０６に与えることで、蓄光材１０６ＢにステップＳ１５６で検出するには不足していた光を補う。そして、ストロボ発光が完了するまで光を与え続けるように、ウエイトを設ける（ステップＳ１５９）。その後、測光回路１１８により測光動作をすることで、蓄光材１０６Ｂの光を多分割測光センサ１２６で検出し（ステップＳ１５６）、明るい場所を検出することができる（ステップＳ１５７）。なお、この場合も、クイックリターンミラー１０５をミラーアップして、フォーカシングスクリーン１０６を遮光状態にして測光動作を行うことが好ましい。
【０１２８】
そして、上記ステップＳ１５７で明るい測光エリアが検出できたか否かを判断し（ステップＳ１６０）、明るい点が無い場合は、判定不能であるという警告を動作表示用ＬＣＤ１２２により告知して（ステップＳ１６１）、該ＣＡＶ判定動作シーケンスを終了する。
【０１２９】
これに対して、明るい測光エリアが検出できた場合は、ＣＡＶ１の明るくなる点と一致しているか否か、即ち測光エリア「２」のみが明るい測光エリアとして検出しているか否かを判別する（ステップＳ１６２）。そして、測光エリア「２」のみが明るい測光エリアとして検出していれば、装着されているフォーカシングスクリーン１０６がＣＡＶ１であると判定する（ステップＳ１６３）。
【０１３０】
また、測光エリア「２」が暗い、もしくは測光エリア「２」とは別の測光エリアも明るい場合には、ＣＡＶ１の明るくなる点と一致していないので、更に、ＣＡＶ２の明るくなる点と一致するかどうか、即ち測光エリア「４」及び「５」のみ明るいか否かを判別する（ステップＳ１６４）。そして、測光エリア「４」及び「５」のみが明るい測光エリアとして検出している場合は、装着されているフォーカシングスクリーン１０６がＣＡＶ２であると判定する（ステップＳ１６５）。
【０１３１】
それ以外の場合は、上記ステップＳ１６１に進んで、判定不可告知を動作表示用ＬＣＤ１２２によって行う。
【０１３２】
このようにして、フォーカシングスクリーン１０６の種類（ＣＡＶの差異を含む）判定を行うことができる。
【０１３３】
また、本実施形態では、多分割測光センサ１２６を用いるものとして説明してきたが、構図確認用の撮像素子を、多分割測光センサ１２６と光学的に同様の位置に配置して、同様のことを行うのは容易である。
【０１３４】
以上のように、本第３実施形態によれば、フォーカシングスクリーン１０６の周縁部に蓄光材１０６Ｂを塗布し、遮光時に蓄光材１０６Ｂからの光により蓄光材１０６Ｂの位置に相当する多分割測光センサ１２６（もしくは構図確認用の撮像素子）の出力から、一眼レフレクスカメラ１０に装着されているフォーカシングスクリーン１０６の種類（ＣＡＶの差異を含む）を判定するようにしているので、一眼レフレクスカメラ１０にハードウエアを追加すること無く、製造過程の微妙な違いによって特性が大きく変わるフォーカシングスクリーン１０６の種類（ＣＡＶの差異を含む）を判断することができる。従って、被写体を測光する際の補正値が、フォーカシングスクリーン１０６に応じたものにすることができ、結果、正確に被写体の明るさを測定することが可能となるので、より安定して、美しい撮影画像を手にいれることができる。
【０１３５】
［第４実施形態］
次に、高画素多分割測光センサ１２６もしくは構図確認用の撮像素子により、フォーカシングスクリーン１０６を認識する例について説明する。
【０１３６】
フォーカシングスクリーン１０６には、図１８に示すように、構図の水平、垂直の目安となる方眼状の線がケガキされている方眼スクリーン１０６Ｃがあり、ユーザはフォーカシングスクリーン１０６を交換することで、撮影目的にあったスクリーンを選択することができる。この他にも、用途によって、様々な線が書かれたフォーカシングスクリーン１０６が存在する。
【０１３７】
このように、測光する領域に存在する「フォーカシングスクリーン１０６に書かれた線」を検出することで、フォーカシングスクリーン１０６の種類（ＣＡＶの差異を含む）を判別することが可能であり、以下、それを本実施形態として説明する。
【０１３８】
上記第１及び第２実施形態と同様に、一眼レフレクスカメラ１０を白壁５０１に向けさせる。線がケガキされている部分が、ケガキされていない部分に比べ、暗い出力を出すように、測光回路１１８を構成する。多分割測光センサ１２６（もしくは構図確認用の撮像素子）は、方眼スクリーン１０６Ｃの装着時は、方眼状に明暗が検出されるのに十分な程度多くの分割数を持つ高画素の多分割測光センサ１２６とする。３００分割程度あれば十分である。
【０１３９】
本実施形態では、図１９に示すように、１７×１７分割の多分割測光センサ１２６を例に説明する。同図では、それぞれの測光エリアについて暗い部分が検出された画素にハッチングを付し、線ではない部分を白で表している。
【０１４０】
線の検出には、ハフ変換を用いる。図１９のように１７×１７の多分割測光センサ１２６それぞれの測光エリアを、Ｘ，Ｙ座標系で考える。一番左上の測光エリアは座標（１７，１７）である。
【０１４１】
ハッチングを付した測光エリアの座標すべてを、下記式（４）に当てはめる。本実施形態では、９３個の座標が得られるので、９３個の下記式（４）が得られる。  
ｒ＝ｘｃｏｓθ＋ｙｓｉｎθ              ・・・（４）
この式（４）について、図２０を参照して説明する。  
点Ａを通る直線は、ｒとθを変数とした式（４）ですべて表記される。
【０１４２】
これを点Ｂ、点Ｃについても、ｒとθの式に変換する。
【０１４３】
このように求められた式を、図２１に示すようなｒとθの座標系で表示すると、正弦曲線で描かれ、同図に破線で示すように、点Ａ、点Ｂ、点Ｃ共通のｒとθが求まる。このようにして共通のｒとθが求まると、ＸＹ座標系で点Ａ、点Ｂ、点Ｃを通過する、直線ｃ＝ａＸ＋ｂＹが一本、求まる。
【０１４４】
複数の線がある場合、求める直線を構成する点の他にも交点が存在するが、直線を構成する点が多いほど、交点に集まる数も増加するので、図２１のようにｒとθ座標系を分割し、分割領域ごとに直線通過本数をカウントして、数が所定以上のものを線と判断するようにして直線を求める。
【０１４５】
多分割測光センサ１２６の画素が上がれば、直線を構成するｒθ分割領域を通る線も増加し、直線判断の精度が上がる。
【０１４６】
このように直線の本数、位置、角度を検出することで、ケガキの線からフォーカシングスクリーン１０６の種類（ＣＡＶの差異を含む）を求めることができる。
【０１４７】
図１８に示すように、標準スクリーン１０６Ｄや、直線の線が無いスクリーンにおいても、フォーカシングスクリーン１０６の一部に、認識用の線１０６Ｅを記載することで、この線１０６Ｅの位置、角度によりフォーカシングスクリーン１０６の種類（ＣＡＶの差異を含む）の判別を行うことができる。
【０１４８】
例えば、直線１０６Ｅが水平に対して角度がどのくらいか、という判定をすることで判断する。水平０〜３０度ならＣＡＶ１、３１〜６０度傾いていればＣＡＶ２、これ以外であれば、多くのスクリーンの平均的なスクリーン相当品と判断する。
【０１４９】
本実施形態のような判別手法だけでも良いが、これまでの実施形態でフォーカシングスクリーン１０６の種類（ＣＡＶの差異を含む）を判定し、本実施形態のフォーカシングスクリーン１０６の種類（ＣＡＶの差異を含む）の判別手法を組み合わせることで、非常に多くの種類（ＣＡＶの差異を含む）を的確に判別できるようになる。
【０１５０】
図２２は、本実施形態におけるＣＡＶ判定動作シーケンスのフローチャートを示す図である。図９（Ａ）に示すように、一眼レフレクスカメラ１０を白壁５０１に向けて配置した後、撮影者によって上述したカメラ操作スイッチ１２３の中のモード変更スイッチが操作されて、撮影モードからＣＡＶ判定モードへ切り替えられると、一眼レフレクスカメラ１０の基本シーケンスから図２２のＣＡＶ判定動作シーケンスがコールされる。
【０１５１】
このＣＡＶ判定動作シーケンスにおいては、Ｂμｃｏｍ１０４は、まず、ＡＦセンサ駆動回路１２０によりＡＦセンサユニット１１０を駆動して測距動作を実施し（ステップＳ１７１）、更に測光回路１１８により測光動作を行って（ステップＳ１７２）、多分割測光センサ１２６の測光値から上述したような直線検出を行う（ステップＳ１７３）。
【０１５２】
そして、その直線検出の結果、縦横各３本、計９本の線が検出されたか否かを判別する（ステップＳ１７４）。なおここで、ＸＹ座標系で直線の傾きの角度が−１０〜１０度であれば横線、８０〜９０度であれば縦線と判定する。そのような縦横各３本の線が検出されたと判別した場合には、装着されたフォーカシングスクリーン１０６は方眼スクリーン１０６Ｃであると判定する（ステップＳ１７５）。
【０１５３】
一方、上記直線検出の結果、縦横各３本の線が検出されていないと判断した場合には、フォーカシングスクリーン１０６の右下に線１０６Ｅが検出できたか否かを判別する（ステップＳ１７６）。ここで、そのような線１０６Ｅが検出できたと判別した場合には、更に、その線１０６Ｅの傾きが水平０〜３０度であるか否かを判別する（ステップＳ１７７）。そして、その水平０〜３０度の範囲の傾きであると判別された場合には、装着されているフォーカシングスクリーン１０６はＣＡＶ１であると判定する（ステップＳ１７８）。
【０１５４】
また、水平０〜３０度の範囲の傾きではないと判別した場合には、上記検出した線１０６Ｅの傾きが３１〜６０度の範囲内であるか否かを判別する（ステップＳ１７９）。ここで、そのような水平３１〜６０度の範囲の傾きであると判別された場合には、装着されているフォーカシングスクリーン１０６はＣＡＶ２であると判定する（ステップＳ１８０）。
【０１５５】
そして、そのような水平３１〜６０度の範囲の傾きでもないと判別された場合には、スクリーン判断できないということで、すべての種類（ＣＡＶの差異を含む）におけるフォーカシングスクリーン１０６の平均的な特性をもつデフォルトスクリーンが装着されていると判定する（ステップＳ１８１）。
【０１５６】
また、上記ステップＳ１７６において、フォーカシングスクリーン１０６の右下に線１０６Ｅが検出できなかったと判別した場合も、このステップＳ１８１に進んで、装着されているフォーカシングスクリーン１０６はデフォルトスクリーンであると判定する。
【０１５７】
このようにして判定されたフォーカシングスクリーン１０６に応じた、補正値を求めることができるようになる。
【０１５８】
以上のように、本第４実施形態によれば、フォーカシングスクリーン１０６の測光する領域に存在する「フォーカシングスクリーン１０６に書かれた線」を多分割測光センサ１２６（もしくは構図確認用の撮像素子）にて検出することで、一眼レフレクスカメラ１０に装着されているフォーカシングスクリーン１０６の種類（ＣＡＶの差異を含む）を判定するようにしているので、一眼レフレクスカメラ１０にハードウエアを追加すること無く、製造過程の微妙な違いによって特性が大きく変わるフォーカシングスクリーン１０６の種類（ＣＡＶの差異を含む）を判断することができる。従って、被写体を測光する際の補正値が、フォーカシングスクリーン１０６に応じたものにすることができ、結果、正確に被写体の明るさを測定することが可能となるので、より安定して、美しい撮影画像を手にいれることができる。
【０１５９】
以上実施形態に基づいて本発明を説明したが、本発明は上述した実施形態に限定されるものではなく、本発明の要旨の範囲内で種々の変形や応用が可能なことは勿論である。
【０１６０】
例えば、上記実施形態のＣＡＶ判定動作ルーチンとして２種類乃至は３種類のＣＡＶを判別する場合を例に説明したが、同様にして更に多種類の判別が可能なことは言うまでもない。
【０１６１】
また、上記実施形態はデジタルカメラを例に説明したが、銀塩カメラにも同様に適用可能なことは勿論である。
【図面の簡単な説明】
【０１６２】
【図１】図１は、本発明のカメラの第１実施形態としての一眼レフレクスカメラの構成を示すブロック図である。
【図２】図２（Ａ）は、非露光時のクイックリターンミラーの状態を示す図であり、図２（Ｂ）は、露光時のクイックリターンミラーの状態を示す図である。
【図３】図３は、多分割測光センサを含む測光回路の回路構成を示す図である。
【図４】図４は、第１実施形態における一眼レフレクスカメラの基本シーケンスからコールされるレリーズ検知シーケンスのフローチャートを示す図である。
【図５】図５（Ａ）は、フォーカシングスクリーンと多分割測光センサとの位置関係を示す図であり、図５（Ｂ）は、一般的なフォーカシングスクリーンの実物例を示す図であり、図５（Ｃ）は、フォーカシングスクリーンの結像状態を示す図である。
【図６】図６は、第１実施形態に用いられるフォーカシングスクリーンを示す図である。
【図７】図７（Ａ）は、縦横７×７で等分割された多分割測光センサの測光エリア配置を示す図であり、図７（Ｂ）は、被写界と測光エリアを重ねて示す図である。
【図８】図８は、第１実施形態における一眼レフレクスカメラの基本シーケンスからコールされるＣＡＶ判定動作シーケンスのフローチャートを示す図である。
【図９】図９（Ａ）は、一眼レフレクスカメラと壁の配置例を示す図であり、図９（Ｂ）は、全面白壁を示す図であり、図９（Ｃ）は、判定エリアのみが白均一な白壁を示す図である。
【図１０】図１０は、開放絞り値に応じた各フォーカシングスクリーンの輝度補正値のグラフを示す図である。
【図１１】図１１は、フォーカシングスクリーンと多分割測光センサとの位置関係を、クイックリターンミラーによる屈折を除いたストレート光学系で表す図である。
【図１２】図１２（Ａ）は、開放絞り値がＦ２．０のレンズからの光束のフォーカシングスクリーンによる拡散を示す図であり、図１２（Ｂ）は、開放絞り値がＦ５．６のレンズからの光束のフォーカシングスクリーンによる拡散を示す図である。
【図１３】図１３（Ａ）は、本発明のカメラの第２実施形態における一眼レフレクスカメラの多分割測光センサによる判定エリアを説明するための図であり、図１３（Ｂ）は、開放絞り値がＦ５．６のレンズの場合におけるＣＡＶ１なるフォーカシングスクリーン配光分布を示す図であり、図１３（Ｃ）は、開放絞り値がＦ５．６のレンズの場合におけるＣＡＶ２なるフォーカシングスクリーン配光分布を示す図であり、図１３（Ｄ）は、開放絞り値がＦ５．６のレンズの場合におけるＣＡＶ３なるフォーカシングスクリーン配光分布を示す図である。
【図１４】図１４は、第２実施形態における一眼レフレクスカメラの基本シーケンスからコールされるＣＡＶ判定動作シーケンスのフローチャートを示す図である。
【図１５】図１５は、本発明のカメラの第３実施形態に用いられるフォーカシングスクリーンを示す図である。
【図１６】図１６は、第３実施形態における遮光を説明するための図である。
【図１７】図１７は、第３実施形態における一眼レフレクスカメラの基本シーケンスからコールされるＣＡＶ判定動作シーケンスのフローチャートを示す図である。
【図１８】図１８は、本発明のカメラの第４実施形態に用いられるフォーカシングスクリーンを示す図である。
【図１９】図１９は、多分割測光センサの測光エリアをＸＹ座標系に当てはめた場合の方眼スクリーンの検出結果を示す図である。
【図２０】図２０は、点Ａを通る直線の式を説明するための図である。
【図２１】図２１は、点Ａ，Ｂ，Ｃのそれぞれを通る直線の式をｒとθの座標系で表した図である。
【図２２】図２２は、第４実施形態における一眼レフレクスカメラの基本シーケンスからコールされるＣＡＶ判定動作シーケンスのフローチャートを示す図である。
【符号の説明】
【０１６３】
１０…一眼レフレクスカメラ、  １００…ボディユニット、  １０１…通信コネクタ、  １０２…ストロボ通信コネクタ、  １０３…通信コネクタ、  １０４…ボディ制御用マイクロコンピュータ（Ｂμｃｏｍ）、  １０５…クイックリターンミラー、  １０６…フォーカシングスクリーン、  １０６Ａ…フィルム、  １０６Ｂ…蓄光材、  １０６Ｃ…方眼スクリーン、  １０６Ｄ…標準スクリーン、  １０６Ｅ…線、  １０７…ペンタプリズム、  １０８…接眼レンズ、  １０９…サブミラー、  １１０…ＡＦセンサユニット、  １１１…シャッタユニット、  １１２…撮像素子、  １１３…撮像モジュール、  １１４…撮像素子インターフェイス回路、  １１５…ＳＤＲＡＭ、  １１６…液晶モニタ、  １１７…画像処理コントローラ、  １１８…測光回路、  １１９…ミラー駆動機構、  １２０…ＡＦセンサ駆動回路、  １２１…シャッタ駆動制御回路、  １２２…動作表示用ＬＣＤ、  １２３…カメラ操作スイッチ、  １２４…電源回路、  １２５…電池、  １２６…多分割測光センサ、  １２６Ａ…判定エリア、  １２７…対数圧縮アンプ、  １２８…電圧増幅回路、  １２９…Ａ／Ｄ変換回路、  １３０…アイピースカバー、  １３１…外装、  ２００…レンズユニット、  ２０１，２０１ａ，２０１ｂ…撮影レンズ、  ２０２…絞り、  ２０３…レンズ駆動機構、  ２０４…絞り駆動機構、  ２０５…レンズ制御用マイクロコンピュータ（Ｌμｃｏｍ）、  ３００…記録メディア、  ４００…ストロボユニット、  ４０１…フラッシュ制御用マイクロコンピュータ（Ｆμｃｏｍ）、  ４０２…閃光発光部、  ４０３…発光制御回路、  ４０４…電池、  ５００…被写界、  ５０１，５０１Ａ，５０１Ｂ…白壁、  ５０２…判定エリア。
【図１】
2009157282.tif 000003
【図２】
2009157282.tif 000004
【図３】
2009157282.tif 000005
【図４】
2009157282.tif 000006
【図５】
2009157282.tif 000007
【図６】
2009157282.tif 000008
【図７】
2009157282.tif 000009
【図８】
2009157282.tif 000010
【図９】
2009157282.tif 000011
【図１０】
2009157282.tif 000012
【図１１】
2009157282.tif 000013
【図１２】
2009157282.tif 000014
【図１３】
2009157282.tif 000015
【図１４】
2009157282.tif 000016
【図１５】
2009157282.tif 000017
【図１６】
2009157282.tif 000018
【図１７】
2009157282.tif 000019
【図１８】
2009157282.tif 000020
【図１９】
2009157282.tif 000021
【図２０】
2009157282.tif 000022
【図２１】
2009157282.tif 000023
【図２２】
2009157282.tif 000024